(57)【要約】      （修正有）【課題】ルーズリーフ用綴具に外力がかかった場合でも、綴片を閉塞状態に保持できるとともに、一端綴じられたルーズリーフの差し替えや追加を防止することができるルーズリーフ用綴具を提供する。【解決手段】ルーズリーフ用綴具は、細長く平板状に形成された基板と、基板の長辺方向に等間隔に設けられたばね性を有する複数の綴片３と、を備える。各綴片３は、一方の端部である固定端部７が、基板の一方の長辺縁部と一体成形され、他方の端部である自由端部が、基板の他方の長辺縁部に側方から切り込むように形成した係止溝６に、抜止め状態で側方から係止可能に構成されている。【選択図】図２
0003185483.tif 000002
【実用新案登録請求の範囲】
【請求項１】
細長く平板状に形成された基板と、
前記基板の長辺方向に等間隔に設けられたばね性を有する複数の綴片と、を備え、
前記各綴片は、
一方の端部である固定端部が、前記基板の一方の長辺縁部と一体成形され、
他方の端部である自由端部が、前記基板の他方の長辺縁部に側方から切り込むように形成した係止溝に、抜止め状態で側方から係止可能に構成されていることを特徴とするルーズリーフ用綴具。
【請求項２】
前記自由端部は、係止方向において鏃状に形成され、
前記係止溝は、前記自由端部が係止される呑込み溝部と、前記呑込み溝部に連なり前記自由端部より幅狭に形成された抜止め溝部と、前記抜止め溝部に連なり前記自由端部の係止をガイドするガイド溝部と、を有していることを特徴とする請求項１に記載のルーズリーフ用綴具。
【請求項３】
前記基板は、前記呑込み溝部に臨み、前記呑込み溝部に係止された前記自由端部の表側への引き抜きを阻止する引抜き阻止部を、有していることを特徴とする請求項２に記載のルーズリーフ用綴具。
【請求項４】
前記係止溝は、表裏方向において前記基板を貫通しており、
前記各綴片は、前記基板に突き当てられ、前記呑込み溝部に係止された前記自由端部の裏面側への抜け落ちを阻止する抜落ち阻止部を、有していることを特徴とする請求項２または３に記載のルーズリーフ用綴具。
【考案の詳細な説明】
【技術分野】
【０００１】
本考案は、綴片によりルーズリーフを保持するルーズリーフ用綴具に関する。
【背景技術】
【０００２】
ルーズリーフに形成された複数の孔を綴込部材の複数の綴込環に挿通し、各綴込環の一端を綴込用具本体に形成された凹部に係止させた状態で、綴込用具本体の側部に設けられたストッパー機構により綴込環を綴込用具本体に固定する綴込用具が知られている（特許文献１参照）。
綴込部材は、基端部を連結した複数の綴込環を有し、複数の綴込環は、その基端部において、綴込用具本体に綴込動作（回動）可能に支持されている。
各綴込環の先端には係合溝が形成されており、各綴込環が綴込用具本体の凹部に挿入されると、ストッパー機構に設けられた係合部材と係合溝が係合し、ルーズリーフのファイリングが行われる。綴込環からルーズリーフを取り外す場合には、ストッパー機構の操作片を綴込環の方向へ押圧することにより、各綴込環の係合溝がストッパー機構の係合部材から解除される。この状態で、複数の綴込環を回動させる。
【先行技術文献】
【特許文献】
【０００３】
【特許文献１】特開平１１−５９０５１号公報
【考案の概要】
【考案が解決しようとする課題】
【０００４】
このような従来の綴込用具では、綴込用具が誤って落とされてしまった場合、落下時の衝撃によりストッパー機構の操作片に外力がかかり、操作片が綴込環を解除するように作動する場合がある。この場合、綴込環の係合溝がストッパー機構の係合部材から外れ、ルーズリーフが綴込環から抜け落ちてしまうおそれがある。
また、カタログなど、特定のルーズリーフと、メーカー名等が印刷された専用の綴込用具とが、一体で提供される場合、ルーズリーフの差替えや追加を簡単に行えないようにする要望がある。
【０００５】
本考案は、ルーズリーフを確実に保持しつつ、差替えや追加を簡単に行えないようにするルーズリーフ用綴具を提供することにある。
【課題を解決するための手段】
【０００６】
本考案のルーズリーフ用綴具は、細長く平板状に形成された基板と、基板の長辺方向に等間隔に設けられたばね性を有する複数の綴片と、を備え、各綴片は、一方の端部である固定端部が、基板の一方の長辺縁部と一体成形され、他方の端部である自由端部が、基板の他方の長辺縁部に側方から切り込むように形成した係止溝に、抜止め状態で側方から係止可能に構成されていることを特徴とする。
【０００７】
この構成によれば、各綴片を係止溝に側方から係止することにより、ルーズリーフ用綴具に外力が加わった場合でも、綴片からルーズリーフが外れるのを防止することができる。また、各綴片が係止溝に抜止め状態で係合し外れることがないので、ルーズリーフの差替えや追加を簡単には行えないようになる。
【０００８】
この場合、自由端部は、係止方向において鏃状に形成され、係止溝は、自由端部が係止される呑込み溝部と、前記呑込み溝部に連なり前記自由端部より幅狭に形成された抜止め溝部と、前記抜止め溝部に連なり前記自由端部の係止をガイドするガイド溝部と、を有しているのが好ましい。
【０００９】
この構成によれば、綴片のばね力を利用して、その自由端部をガイド溝部にあてがい、側方から押し込むと、自由端部は、幅狭の抜止め溝部を通過して呑込み溝部に係止される。自由端部は、係止方向において鏃状に形成される一方、抜止め溝部は、自由端部より幅狭に形成されているので、呑込み溝部に係止された自由端部は抜止め状態となる。従って、呑込み溝部に対する綴片の挿入方向とは逆の方向に外力がかかっても、自由端部が呑込み溝部から外れるのを防止することができる。
【００１０】
この場合、基板は、呑込み溝部に臨み、呑込み溝部に係止された自由端部が基板の表面側へ引き抜かれるのを阻止する引抜き阻止部を、有しているのが好ましい。
【００１１】
この構成によれば、綴片に基板の表面方向への外力がかかっても、呑込み溝部に係止された自由端部は引抜き阻止部により、その引き抜きを阻止されるので、自由端部が呑込み溝部から引き抜かれるのを防止することができる。
【００１２】
この場合、係止溝は、基板の表裏方向において基板を貫通しており、各綴片は、基板に突き当てられ、呑込み溝部に係止された自由端部が基板の裏面側へ抜け落ちるのを阻止する抜落ち阻止部を有しているのが好ましい。
【００１３】
この構成によれば、自由端部が呑込み溝部に係止されるのに伴い、抜落ち阻止部が基板の表面をスライドして基板に突き当てられるので、綴片に基板の裏面方向への外力がかかっても、自由端部が基板の裏面側に抜け落ちるのを防止することができる。なお、係止溝が基板の表裏方向において、基板を貫通していることで、成型用の金型形状を単純化することができる。
【図面の簡単な説明】
【００１４】
【図１】本考案の一実施形態によるルーズリーフ用綴具の斜視図である。
【図２】開口状態の綴片を示す斜視図である。
【図３】閉塞状態の綴片を示す斜視図である。
【図４】閉塞状態の綴片を基板の裏面側から見た斜視図である。
【図５】本考案によるルーズリーフ用綴具の変形例を示す斜視図である。
【考案を実施するための形態】
【００１５】
以下、添付した図面を参照して、本考案の一実施形態に係るルーズリーフ用綴具を説明する。
【００１６】
図１は、本考案によるルーズリーフ用綴具の一実施形態を示す斜視図である。同図に示すように、ルーズリーフ用綴具１は、細長く平板状に形成された基板２と、基板２の表面に設けられた複数（実施形態のものは、４つ）の綴片３とを備えている。
【００１７】
基板２は、長辺方向に等間隔に設けられた複数の取付穴４を有しており、取付穴４を介して、図示しないバインダーの背表紙に、基板２がねじ止めあるいはかしめにより取り付けられる。また、基板２には、基板２を貫通し、綴片３の後述する自由端部５が係止される複数（実施形態のものは、４つ）の係止溝６が形成されている。
【００１８】
図２は、基板２に対して綴片３を開口状態とした時の拡大斜視図である。同図に示すように、基板２の表面に設けられた綴片３は、その一方の端部である固定端部７が、基板２の一方の長辺縁部と一体成形されている。基板２と綴片３とは、ばね性を有する同じ材料、たとえばポリプロピレンで一体成形されている。綴片３は、自由端部５がユーザーにより引っ張られることにより、その本体である湾曲部分が変形可能となっており、綴片３が一体成形される基板２の部分は、綴片３にかかる応力に抗するように（補強のために）肉厚となっている。
【００１９】
綴片３の他方の端部である自由端部５は、固定端部７に近い側から遠い側にかけて平面視で鏃状となっており、自由状態において、基板２に対し、上方に隙間をもって設けられる。また、綴片３には、自由端部５から所定の距離（係止溝６の後述する引抜き阻止部８の厚み分）だけ離れ、自由端部５と同じ鏃状の抜落ち阻止部９が設けられている。なお、一例として、抜落ち阻止部９の形状を自由端部５の形状と同形の鏃状としたが、円形状など他の形状としてもよい。
【００２０】
ルーズリーフは、自由端部５と係止溝６との間に設けられた隙間を介して綴片３に挿通（綴り込み）される。上述したように、基板２には、基板２を貫通し、自由端部５が係止する係止溝６が成形されている。基板２の表面側における係止溝６の周辺部分は、綴片３にかかる応力に抗するように厚肉部１０となっている。係止溝６は、綴片３の自由端部５の係止溝６への係止をガイドするガイド溝部１１、自由端部５より幅狭の抜止め溝部１２、および自由端部５が係止する呑込み溝部１３を備えている。また、呑込み溝部１３には、上記の厚肉部１０の下側に連なり呑込み溝部１３に係止した自由端部５の表面側への引き抜きを阻止する引抜き阻止部８が形成されている。
【００２１】
図３は、基板２に対して綴片３を閉塞状態とした時の拡大斜視図である。同図に示すように、自由端部５を係止溝６に係止する場合、ユーザーは、基板２の幅方向において、自由端部５の側面を係止溝６のガイド溝部１１に、また、抜落ち阻止部９の裏面を基板２の表面、すなわち厚肉部１０の表面に位置合わせするように、自由端部５を基板２の幅方向に引っ張ってから押し入れる。これにより、自由端部５は、綴片３のばね力と相まって、幅狭の抜止め溝部１２を通過し、呑込み溝部１３に係止される。呑込み溝部１３に係止された自由端部５は同時に引抜き阻止部８の下面に係合する。一方、抜落ち阻止部９は、自由端部５の移動に伴って基板２の厚肉部１０上をスライドし、厚肉部１０上に着座する。また、抜落ち阻止部９と自由端部５の間に位置する部分は、基板２の厚肉部１０の内側に突き当たる。このように、抜落ち阻止部９の裏面が基板２の厚肉部１０に着座し、自由端部５の表面が係止溝６の引抜き阻止部８と係合する。すなわち、基板２は、自由端部５と抜落ち阻止部９とにより挟み込まれる状態となる。
【００２２】
図４は、図３の基板２および綴片３を斜め下から見た場合の斜視図である。同図に示すように、係止溝６に係止された自由端部５の表面は、呑込み溝部１３の両端部（引抜き阻止部８）に係合するとともに、抜落ち阻止部９の裏面は、基板２の厚肉部１０に係合（着座）する。また、上述したように、自由端部５は、その幅より狭い抜止め溝部１２により、呑込み溝部１３に抜止め状態で係合する。このため、綴片３に基板２の幅方向の力がかかった場合には、抜止め溝部１２により綴片３が係止溝６から外れる（引き抜き）ことが防止される。
【００２３】
また、綴片３に基板２と垂直方向上側（基板△の表面側）に力がかかった場合、自由端部５の表面と引抜き阻止部８とが係合しているので、綴片３が係止溝６から厚肉部１０側に外れることがない。さらに、垂直方向下側（基板２の裏面側）に力がかかった場合、抜落ち阻止部９の裏面と基板２の表面が係合しているので、綴片３が係止溝６から外れる（抜け落ち）ことがない。従って、例えばバインダーを誤って落としてしまった場合でも、ルーズリーフがルーズリーフ用綴具１からばらけることがない。
【００２４】
なお、図面では、呑込み溝部１３の深さに比べて、自由端部５の厚みが薄くなっている（基板２の裏面に対し、自由端部５が窪んでいる）が、自由端部５の厚みを呑込み溝部１３の深さと同じとして面一にしたり、バインダーの背表紙と基板２との間の隙間に余裕がある場合には、自由端部５の厚みを呑込み溝部１３の深さより大きくしたりしてもよい。
【００２５】
図５は、本考案のルーズリーフ用綴具１の変形例を示す基板２および綴片３の拡大斜視図である。なお、上述した一実施形態と同じ部材には同じ符号を付し、詳細な説明を省略する。図５のルーズリーフ用綴具１は、図１に示したものの簡易版である。すなわち、図５のルーズリーフ用綴具１では、抜落ち阻止部９が綴片３に設けられていない。抜落ち阻止部９は、型抜きの関係で係止溝６が裏面側に貫通しているために必要になる。しかし、ルーズリーフのファイリング状態で綴片３が不安定にはなるが、そのばね力により、綴片３は係止溝６から外れることはない。図５のようなルーズリーフ用綴具１を製造する場合、図１に示したものに比べて成型のための金型を単純な形状とすることができる。このような構造の場合でも、基板２の幅方向の外力や基板２の表面方向の外力がかかっても、綴片３が係止溝６から外れることがない。そのため、ルーズリーフの差替えや追加を簡単に行えないこととなる。
【符号の説明】
【００２６】
１…ルーズリーフ用綴具  ２…基板  ３…綴片  ５…自由端部  ６…係止溝  ７…固定端部  ８…引抜き阻止部  ９…抜落ち阻止部  １１…ガイド溝部  １２…抜止め溝部  １３…呑込み溝部
【図１】
0003185483.tif 000003
【図２】
0003185483.tif 000004
【図３】
0003185483.tif 000005
【図４】
0003185483.tif 000006
【図５】
0003185483.tif 000007